(57)【特許請求の範囲】
【請求項１】
基部およびカバーを具備する分配器であって、
該基部は底壁、少なくとも２つの対向する側壁、前壁、および後壁を有し、各壁は上縁部を有し；
各基部側壁の上縁部の一部には、その部分の基部上縁部は基部前壁の上縁部より低くなるように傾斜が付けられ；
基部前壁は開口部を有し；
前記カバーは、上壁、少なくとも２つの対向する側壁、前壁、および後壁を有し、各壁は下縁部を有し；
各カバー側壁の下縁部の一部には、その部分のカバー後壁の下縁部がカバー前壁下縁部より低くなるように傾斜が付けられ；且つ
前記カバーと基部を組み立てた時に基部後壁の一部が露出し、カバー上壁の後面を押し下げるとカバー前壁がせり上がり、基部前壁の開口部の一部が現れて、分配器の中身の少なくとも一部を分配できる様にしてなり、さらに、上壁、少なくとも２つの対向する側壁、前壁、および後壁を有し、各壁が上縁部を有しているインサートを更に具備し、
該インサートの各側壁の上縁部の一部には、インサート後壁のその上縁部がインサート前壁の上縁部より低くなる様に傾斜が付けられ；且つ、該インサートが前壁に開口部を有し、該開口部は、該インサートを基部内に入れた時に基部前壁の開口部と少なくとも一部が一致するようにしてなる分配器。
【請求項２】
基部およびカバーを具備する分配器であって、
該基部は底壁、少なくとも２つの対向する側壁、前壁、および後壁を有し、各壁は上縁部を有し；
各基部側壁の上縁部の一部には、その部分の基部上縁部は基部前壁の上縁部より低くなるように傾斜が付けられ；
基部前壁は開口部を有し；
前記カバーは、上壁、少なくとも２つの対向する側壁、前壁、および後壁を有し、各壁は下縁部を有し；
各カバー側壁の下縁部の一部には、その部分のカバー後壁の下縁部がカバー前壁下縁部より低くなるように傾斜が付けられ；且つ、前記カバーと基部を組み立てた時に基部後壁の一部が露出し、カバー上壁の後面を押し下げるとカバー前壁がせり上がり、基部前壁の開口部の一部が現れて、分配器の中身の少なくとも一部を分配できる様にしてなり、さらに、上縁部を持つ上壁および曲線側壁を有するインサートを更に具備し、該インサート側壁上縁部の一部には、インサート側壁のその部分の上縁部がインサート側壁の残りの上縁部より低くなる様に下向きに傾斜が付けられ；且つ、該インサートは曲線側壁に開口部を有し、該開口部は、該インサートを基部内に入れた時に基部側壁の開口部と少なくとも一部が一致するようにしてなる分配器。
【請求項３】
請求項１記載の分配器において、前記基部および前記カバーは、係合しあう移動止めを更に具備するようにしてなる分配器。
【請求項４】
請求項２記載の分配器において、基部およびカバーは、係合しあう移動止めを更に具備することを特徴とする分配器。
【請求項５】
請求項３記載の分配器において、移動止めは、対応する内向きのメスの移動止めと外向きのオスの移動止めの係合ペアから成ることを特徴とする分配器。
【請求項６】
それぞれが上縁部を有する、少なくとも２つの対向する側壁、底壁、前壁、および後壁であって、該底壁は開口部を有し、各基部の側壁の上縁部には、基部後壁のその部分の上縁部が基部前壁の上縁部より低くなる様に傾斜が付けられ、且つ該基部は移動止めを有するものを獲得する段階；
基部内に分配を所望するアイテムを充填する段階；ならびに
移動止めを係合し、カバーを基部に取付け、カバー上壁の後面を下向きに押すとカバー前壁がせり上がり、基部前壁の開口部の一部が現れ、分配器中身の少なくとも一部を分配できるようにする段階を含み、さらに、基部内に、上壁、少なくとも２つの対向する側壁、前壁、および後壁を有し、各壁が上縁部を有するインサートであって、該インサートの各側壁上縁部の一部には、インサート後壁のその部分の上縁部がインサート前壁の上縁部よりも高くなる様に傾斜が付けられており、且つ基部にインサートを入れた時に基部前壁の開口部の少なくとも一部と一致する開口部を前壁に有するインサートを基部内に入れる段階を更に含むことを特徴とする分配器を組み立てる方法。
【請求項７】
それぞれが三角形の立体形状を持つ基部およびカバーを含む三角形の分配器であって；
該基部は底壁、第一側壁、第二側壁、および第三側壁を有し、各側壁は上縁部を有し；
該第一側壁は開口部を有し；
該第二側壁と第三側壁は収束して、開口部対向側に尖部を形作り；
該第二側壁上縁部の一部および該第三側壁上縁部の一部には、第二側壁および第三側壁が収束し、その部分の上縁部が第一、第二、および第三側壁の上縁部よりも低くなる様に傾斜が付けられ；
前記カバーは上壁、第一側壁、第二側壁、および第三側壁を有し、各側壁は下縁部を有し；
該第二側壁および第三側壁は収束して尖部を形作り；
該第二側壁の一部および該第三側壁の一部には、第二側壁および第三側壁が収束し、その部分の下縁部は第一、第二、第三カバー側壁の上縁部よりも高くなるように傾斜が付けられ、
該カバーと基部を組み立てた時に、該基部の壁の一部が露出し、開口部対向側のカバー上壁を押し下げると、カバーの第一側壁がせり上がり、基部側壁の開口部の少なくとも一部が現れて、分配器の中身の少なくとも一部が分配できるようにしてなり、さらに、基部の中に嵌め込まれる、上壁、第一側壁、第二側壁、および第三側壁を有し、各壁が上縁部を有する三角形のインサートを更に含み；
該第一側壁は、該インサートを基部に入れた時に基部の該第一側壁の開口部の少なくとも一部一致する開口部を有し；
該第二側壁と該第三側壁の収束によって開口部対向側に尖部が形作られ；且つ
該第二側壁の上縁部の一部および該第三側壁の上縁部の一部には、第二側壁と第三側壁が収束する、その部分の上縁部が第一、第二、および第三基部側壁の上縁部より低くなる様に下向きに傾斜が付けられていることを特徴とする三角形分配器。
【発明の詳細な説明】
【技術分野】
【０００１】
本発明は、一般的には、分配器としての機能する能力を持つ小型容器の分野に関する。より具体的には、本発明はピル、錠剤、もしくはキャンディーのような小型固形物、または乳液、ゲル、溶媒、もしくは水溶液のような液体を分配するための容器に関し、該容器ではカバーが基部に、該カバーまたは該基部の一部を圧した時に装置が開いてその中身が開口部から分配されるように形作られる。
【背景技術】
【０００２】
アイテムを保存および分配するための小型容器は、蓋、キャップ、カバー、シール、または蝶番式開口部といった様々な可動部分を具備することが多い。また当技術分野では、プレストップ型の分配器が一般には公知である。
なお、本願考案と関連する技術が次の文献において開示されている。
【特許文献１】実用新案登録第３０４７０７８号公報
【発明の開示】
【発明が解決しようとする課題】
【０００３】
本発明は、携帯および操作に便利であり、ピル、錠剤、もしくはキャンディーのような小型固形物、または乳液、ゲル、もしくは水溶液のような液体を容易に分配することに適合した分配容器装置を提供する。本発明は、望まれる場合には、片手で装置を開けること、その中身を分配すること、および容器を閉じることを可能にする。これに加えて本発明は、分配器内に手を伸ばすことなく、またはその中身に触れることなく、その中身を分配できるようにする。
【課題を解決するための手段】
【０００４】
本発明は、ピル、錠剤、もしくはキャンディーのような小型固形物、または乳液、ゲル、もしくは水溶液のような液体のアイテムを保持および分配するための容器として機能し、基部にカバーが取り付けられた分配装置を含む。本発明の一つの態様は、基部およびカバーを具備する分配器であって、
該基部は底壁、少なくとも２つの対向する側壁、前壁、および後壁を有し、各壁は上縁部を有し；
各基部側壁の上縁部の一部には、その部分の基部上縁部は基部前壁の上縁部より低くなるように傾斜が付けられ；
基部前壁は開口部を有し；
前記カバーは、上壁、少なくとも２つの対向する側壁、前壁、および後壁を有し、各壁は下縁部を有し；
各カバー側壁の下縁部の一部には、その部分のカバー後壁の下縁部がカバー前壁下縁部より低くなるように傾斜が付けられ；且つ
前記カバーと基部を組み立てた時に基部後壁の一部が露出し、カバー上壁の後面を押し下げるとカバー前壁がせり上がり、基部前壁の開口部の一部が現れて、分配器の中身の少なくとも一部を分配できる様にしてなり、さらに、上壁、少なくとも２つの対向する側壁、前壁、および後壁を有し、各壁が上縁部を有しているインサートを更に具備し、
該インサートの各側壁の上縁部の一部には、インサート後壁のその上縁部がインサート前壁の上縁部より低くなる様に傾斜が付けられ；且つ、該インサートが前壁に開口部を有し、該開口部は、該インサートを基部内に入れた時に基部前壁の開口部と少なくとも一部が一致するようにしてなる分配器を、提供して上記従来の課題を解決する。
【０００５】
本願発明はまた、基部およびカバーを具備する分配器であって、
該基部は底壁、少なくとも２つの対向する側壁、前壁、および後壁を有し、各壁は上縁部を有し；
各基部側壁の上縁部の一部には、その部分の基部上縁部は基部前壁の上縁部より低くなるように傾斜が付けられ；
基部前壁は開口部を有し；
前記カバーは、上壁、少なくとも２つの対向する側壁、前壁、および後壁を有し、各壁は下縁部を有し；
各カバー側壁の下縁部の一部には、その部分のカバー後壁の下縁部がカバー前壁下縁部より低くなるように傾斜が付けられ；且つ、前記カバーと基部を組み立てた時に基部後壁の一部が露出し、カバー上壁の後面を押し下げるとカバー前壁がせり上がり、基部前壁の開口部の一部が現れて、分配器の中身の少なくとも一部を分配できる様にしてなり、さらに、上縁部を持つ上壁および曲線側壁を有するインサートを更に具備し、該インサート側壁上縁部の一部には、インサート側壁のその部分の上縁部がインサート側壁の残りの上縁部より低くなる様に下向きに傾斜が付けられ；且つ、該インサートは曲線側壁に開口部を有し、該開口部は、該インサートを基部内に入れた時に基部側壁の開口部と少なくとも一部が一致するようにしてなる分配器を、提供して上記従来の課題を解決する。
【０００６】
また、上記段落０００４記載の分配器において、前記基部および前記カバーは、係合しあう移動止めを更に具備するように構成することがある。
【０００７】
また、上記段落５記載の分配器において、基部およびカバーは、係合しあう移動止めを更に具備する構成となすことがある。
【０００８】
さらにまた、上記段落６記載の分配器において、移動止めは、対応する内向きのメスの移動止めと外向きのオスの移動止めの係合ペアから成る分配器を提供する。
【０００９】
本願発明はまた、それぞれが上縁部を有する、少なくとも２つの対向する側壁、底壁、前壁、および後壁であって、該底壁は開口部を有し、各基部の側壁の上縁部には、基部後壁のその部分の上縁部が基部前壁の上縁部より低くなる様に傾斜が付けられ、且つ該基部は移動止めを有するものを獲得する段階；
基部内に分配を所望するアイテムを充填する段階；ならびに
移動止めを係合し、カバーを基部に取付け、カバー上壁の後面を下向きに押すとカバー前壁がせり上がり、基部前壁の開口部の一部が現れ、分配器中身の少なくとも一部を分配できるようにする段階を含み、さらに、基部内に、上壁、少なくとも２つの対向する側壁、前壁、および後壁を有し、各壁が上縁部を有するインサートであって、該インサートの各側壁上縁部の一部には、インサート後壁のその部分の上縁部がインサート前壁の上縁部よりも高くなる様に傾斜が付けられており、且つ基部にインサートを入れた時に基部前壁の開口部の少なくとも一部と一致する開口部を前壁に有するインサートを基部内に入れる段階を更に含むことを特徴とする分配器を組み立てる方法を提供して、上記従来の課題を解決しようとするものである。
【００１０】
さらに、本願発明は、それぞれが三角形の立体形状を持つ基部およびカバーを含む三角形の分配器であって；
該基部は底壁、第一側壁、第二側壁、および第三側壁を有し、各側壁は上縁部を有し；
該第一側壁は開口部を有し；
該第二側壁と第三側壁は収束して、開口部対向側に尖部を形作り；
該第二側壁上縁部の一部および該第三側壁上縁部の一部には、第二側壁および第三側壁が収束し、その部分の上縁部が第一、第二、および第三側壁の上縁部よりも低くなる様に傾斜が付けられ；
前記カバーは上壁、第一側壁、第二側壁、および第三側壁を有し、各側壁は下縁部を有し；
該第二側壁および第三側壁は収束して尖部を形作り；
該第二側壁の一部および該第三側壁の一部には、第二側壁および第三側壁が収束し、その部分の下縁部は第一、第二、第三カバー側壁の上縁部よりも高くなるように傾斜が付けられ、
該カバーと基部を組み立てた時に、該基部の壁の一部が露出し、開口部対向側のカバー上壁を押し下げると、カバーの第一側壁がせり上がり、基部側壁の開口部の少なくとも一部が現れて、分配器の中身の少なくとも一部が分配できるようにしてなり、さらに、基部の中に嵌め込まれる、上壁、第一側壁、第二側壁、および第三側壁を有し、各壁が上縁部を有する三角形のインサートを更に含み；
該第一側壁は、該インサートを基部に入れた時に基部の該第一側壁の開口部の少なくとも一部一致する開口部を有し；
該第二側壁と該第三側壁の収束によって開口部対向側に尖部が形作られ；且つ
該第二側壁の上縁部の一部および該第三側壁の上縁部の一部には、第二側壁と第三側壁が収束する、その部分の上縁部が第一、第二、および第三基部側壁の上縁部より低くなる様に下向きに傾斜が付けられてなる三角形分配器を、提供して上記従来の課題を解決する。
【００１１】
明細書に参照される図面では、図面内に使用する参照番号はその中に示す特定の構成要素、局面、または機構を示す。二つ以上の図面に共通する参照記号は、その中に示す類似の構成要素、局面、または機構を示す。
【発明の効果】
【００１２】
本願発明は、前述の構成作用により、以下のような効果を得ることができる。
ａ：携帯および操作に便利であり、ピル、錠剤、もしくはキャンディーのような小型固形物、または乳液、ゲル、もしくは水溶液のような液体を容易に分配することに適合した分配容器装置を実現できる。
ｂ：必要に応じて、片手で装置を開けてその中身を取り出せ、そして再び容器を閉じることが可能になる。
ｃ：  さらに、分配容器内に手を入れなくても、その中身に触れることなく、その中身を分配できる
【実施例】
【００１３】
本発明の好ましい態様によれば、参照番号１０で示される図１、２、および８に示す分配装置は、概して基部１１およびカバー１２を具備する。
【００１４】
図１、２、および１３に示すように、基部１１は底壁１４、少なくとも２つの対抗する側壁（ともに参照番号１５で表される）、前壁１６、および後壁１７を持ち、各壁は上縁部を有する。基部前壁の上縁部は、参照番号１８で表され、基部後壁の上縁部は、参照番号１９で表される。各基部側壁の上縁部の一部５０は、基部後壁１９のその部分の上縁部が基部前壁１８の上縁部より低くなるように傾斜が付けられている。基部前壁１６は、少なくとも１つ開口部２０を有する。開口部２０は、サイズ、形状、および基部前壁１６内の位置を変えることができる。
【００１５】
図１、２、および８に示すように、カバー１２は、上壁２１、少なくとも２つの対抗する側壁２２、前壁２３、および後壁２４から成り、それぞれの壁は下縁部を有する。カバー前壁２３の下縁部は、参照番号２６で示される。カバー側壁の下縁部は、カバー後壁２６のその部分の下縁部がカバー前壁の下縁部よりも高くなるように傾斜が付けられている。
【００１６】
図２および３に示すように、カバー１２と基部１１を組み合わせると、基部の一部２７は露出し、その状態で場所４０のようなカバー上壁の後面を押し下げるとカバー前壁２３が持ち上がり、基部前壁１６の開口部の一部が露出して分配器の中身の少なくとも一部が分配できるようになる。
【００１７】
基部およびカバーの傾斜部５０および５１はそれぞれ、カバーまたは基部を押した時にカバー１２の前壁２３がせり上がり、その結果基部前壁３０の開口部が露出するようにする。当業者が察するように、分配容器のサイズ、厚み、および長さに応じて調整される、またはカバーもしくは基部を押し下げたときにカバー前壁２３がせり上がる大きさを変えるための、対応する傾斜部５０および５１を持つ様々な態様が考えられる。図９および１０を参照すると、別の態様では、カバーおよび基部の対応する傾斜部分５１および５０の角度（θ）５５および５６、ならびに長さ６０および６１はそれぞれ、開口部の露出度を変えるため、またはカバー前壁２３のせり上がり具合を変えるために増減できる。図９および１０の角度（θ）５５および５６は、それぞれ約１７度であるが、これらの角度は０より大きいが、９０度より小さい角度に調節できる。
【００１８】
本分配装置の別の態様は、インサート１３を具備する。インサートは、カバーが外されるといった場合に中身を所定位置に保持する。また、錠剤のような小さな固形物は、分配容器の中で「詰まり」やすく、インサートは詰まりが発生したときに分配装置を開閉させる。この随意選択的なインサートは、分配装置の中身が十分に小さく、「詰まり」を起こしやすく、その結果カバーを基部に向けて押し下げるのが妨害される場合に好ましい。
【００１９】
図１、４、および８に示す様に、インサート１３は上壁２８、少なくとも２つの対向する側壁２９、前壁３０、および後壁３１を具備できる。インサート１３の前壁３０および後壁３１は共に上縁部を有する。インサートの前壁の上縁部は参照番号３３で示され、インサートの後壁の上縁部は参照番号３２で示される。インサートの各側壁２９の各上縁部の一部５２には傾斜が付けられており、その結果後壁のその部分の上縁部３２は前壁の上縁部３３より低くなる。インサート１３は、前壁３０に少なくとも１つの開口部３４を有しており、該開口部は、インサート１３を基部１１の中に入れたとき時に基部の前壁１６の開口部２０の少なくとも一部が一致する。
【００２０】
本分配装置の別の態様は、基部およびカバー上に、係合移動止めを具備する。これらの係合移動止めは、カバーを閉じた状態に保つのを補助し、カバーを開いた状態に保つのも補助する。これらの係合移動止めはまたカバーまたは基部を外れる難くし、また装置がその限界開放状態にある時にカバーまたは基部が外れる可能性を低くすることもできる。これらの移動止めは、係合しあう、対応する内向きのメスの移動止めと外向きのオスの移動止めのペアを具備でき、また例えば、ネジ、ボルトとナット、または分配器に意図する目的にあった機能を可能にさせる他の任意のタイプの留め具のような、しかしこれらに限定されない留め具を具備できる。
【００２１】
留め具の作用の仕方の一例として、次に図１、２、３、７、および８を参照する。これらの図に示す例示の態様では、基部１１の移動止め３５は、カバー１２の移動止め３６と係合または嵌合して、分配装置がその閉鎖状態を維持するのを助け（図２）、そうして中身を保持し、また装置がその開放状態を維持するのを助け（図２）、そうして開放状態を保ちながら中身を分配できるようにする。同様に、基部１１の移動止め３７はカバー１２の移動止めと係合および嵌合して、装置１０がその閉鎖状態を保つのを助け、そうしてカバーまたは基部が外れる難くする。基部１１の移動止め３９はカバー１２の移動止め３８と係合および嵌合し、装置がその開放状態を保つのを助け、装置がその限界開放状態にある時に、カバーまたは基部が外れる可能性を下げる。
【００２２】
基部またはカバーには、追加の移動止めが在ってもよい。また本明細書に記載した場所と異なる場所に移動止めが在ってもよい。例えば別の態様では、移動止め３８は、代わってカバー前壁２３に在ってもよく、対応する移動止め３７および３９は、カバー前壁２３および基部前壁１６にそれぞれ在って、装置をその開放状態に保ち、且つその限界開放状態に在る時に外れるのを防止してもよい。あるいは、基部側壁１５の後面に位置する移動止め３５、およびカバー側壁２２の後面に位置する移動止め３６は、留め具、ナットとボルト、または当技術分野で公知の任意の好適材料に交換でき、そうして基部１１およびカバー１２は、このポイントで永久的または取り外し可能な形で、回転自在（即ち、ピボットのように回転できるように）に嵌合する。
【００２３】
図２の分配器を開ける方法は幾つかあり、その内の一つでは図３に示す様に、カバー１１の上壁２１の後面を下向きに押して開ける。図２の分配器は、基部の底壁１４の後面を押すことによっても開けることができる。分配器は、図３に示す様に表面の上に分配器を置いて指一本で、または二本の対向する指の間に、一本の指をカバー１２に、もう一方の指を基部１１に置いて容器を挟み、二本の指で同時に押すことによって開けることができる。
【００２４】
図３の容器を閉じる方法も幾つか在り、その内の一つは、カバーの上壁２１の前面を下向きに押す方法である。図３の分配器はまた、基部の底壁１４の前面を押すことによっても閉じることができる。分配器は、分配域を表面の上に置いて指一本で、または二本の対向する指の間に、一本の指をカバー１２に、もう一方の指を基部１１に置いて容器を挟み、二本の指で同時に押すことによって閉じることもできる。
【００２５】
本発明の別の態様は、曲線的な幾何学形状を持つ、例えば卵形、丸、楕円形、または洋ナシ形の分配装置である。図１１は、円形の分配装置を示す。具体的には、この態様では、分配器は概して基部１００およびカバー１０１から成る。基部１００は、底壁１０３および上縁部１０５を持つ曲線側壁１０４を有する。基部側壁は開口部１０６を少なくとも１つ持つ。開口部１０６と反対側の基部側壁の上縁部の一部１０７には、基部側壁のその部分の上縁部が該基部側壁の残りの上縁部よりも低くなる様に下向きに傾斜が付けられている。カバー側壁の下縁部の一部１１０には、カバー側壁のその部分１１０の下縁部が該カバー側壁の残りの下縁部より高くなる様に上向きに傾斜が付けられている。カバー１０１と基部１００を組み合わせると、基部壁の一部が露出し、側壁の開口部を通してカバー上壁１０８のある部分を下向きに押すとカバー上壁１０９がせり上がり、基部側壁の開口部１０６の一部が露出して、分配器の中身の少なくとも一部が分配できるようになる。
【００２６】
本発明の別の態様は、上記のような、インサート１０２（図１１に示す）を持つ、円形、長方形、卵形、楕円形、または洋なし型の分配装置である。インサート１０２は、上壁１１２および上縁部１１４を持つ曲線側壁１１３を有する。該インサートの側壁の上縁部の一部１１５には、インサート側壁のその部分の上縁部がインサート側壁の残りの上縁部に比べ低くなる様に傾斜が付けられている。インサート１０２は曲線側壁に少なくとも一つ開口部１１６を有し、該開口部はインサート１０２を基部１００内に収めた時に、該基部側壁の開口部１０６の少なくとも一部分と一致する。
【００２７】
図１１の分配装置はまた、基部１００およびカバー１０１に係合し合う移動止めも含んでよい。図１１に示す態様では、基部１００の移動止め１１９は、カバー１０１の移動止め１１７と係合よび嵌合し、分配装置がその閉鎖状態を維持し、そうしてその中身を保持するのを補助し、また装置がその開放状態を維持するのを助け、そうして開放状態のままその中身を分配できるようにする。同様に基部１００の移動止め１２０は、カバー１０１の移動止め１１８とも係合および嵌合して、装置をその閉鎖状態に維持するのを助け、そうしてカバーまたは基部が外れにくくする。基部１００の移動止め１２１は、カバー１０１の移動止め１１８と係合および嵌合し、装置がその開放状態を保つのを助け、装置がその限界開放状態に在る時にカバーまたは基部が外れる可能性を下げる。
【００２８】
別の態様は、例えば三角形、正方形、長方形（図１〜８に示す）、または六角形を含むが、これらに限定されない多角形の幾何学形状を持つ分配装置である。三角形（不等辺三角形、二等辺三角形、正三角形、および直角三角形を含む）のような多角形形状を持つ本分配装置の態様は一般的には：基部およびカバーを具備する。図１２には、三角形の分配器の態様を示す。具体的には、この態様では、分配器は概して基部２００およびカバー２０１から成り、それぞれが三角形の立体に形作られている。基部２００は、底壁２０３、第一側壁２０４、第二側壁２０５、および第三側壁２０６を有し、各側壁は上縁部２０９を持つ。第一側壁２０４は開口部を有する。開口部２０７の反対側には、第二側壁２０５および第三側壁２０６が収束して尖部を形作る。第二側壁上縁部の一部２１０および第三側壁上縁部の一部２１０には、第二および第三側壁収束部のその部分の上縁部２１１が、第一、第二、および第三基部側壁の上縁部２０９よりも低くなる様に下向きに傾斜が付けられている。カバー２１０は上壁２１２、第一側壁２１３、第二側壁２１４、および第三側壁２１５を有し、各側壁は下縁部２１６を有する。第二側壁２１４および第三側壁２１５が収束して尖部２１７を形作る。第二側壁下縁部の一部２１８および第三側壁下縁部の一部２１８には、第二側壁および第三側壁収束部に相当するその部分の下縁部２１９が、第一、第二、および第三カバー側壁の下縁部２１６よりも高くなる様に上向きに傾斜が付けられている。カバー２０１と基部２００を組み合わせると、基部壁の一部が露出し、カバー上壁２１２を下向き押すと、カバーの第一側壁２１３がせり上がり、基部側壁の開口部の一部が現れ、分配器の中身のすくなとも一部が分配できるようになる。
【００２９】
本発明の別の態様は、インサートを備えた、上記の三角形の分配装置である。図１２に示す様に、三角形のインサート２０２は基部内部に嵌め込まれ、上壁２２０、第一側壁２２１、第二側壁、および第三側壁を有し、各側壁は上縁部２２４を有する。第一側壁２２１は、インサートを基部内に収めた時に、第一基部側壁の開口部２０７の少なくとも一部と一致する開口部２２５を有する。開口部２２５の反対側には、第二側壁および第三側壁が収束して尖部を形作る。第二側壁上縁部の一部２２７および第三側壁上縁部の一部には、第二および第三側壁収束部に相当するその部分の上縁部２２９が、第一、第二、および第三基部側壁の上縁部２２４よりも低くなる様に下向きに傾斜が付けられている。
【００３０】
本分配装置の別の態様は、一体成形の基部を具備する分配装置であって、インサートおよび基部は単独の一体要素として形作られ、側壁に開口部を少なくとも一つ有し、かつ本明細書の詳細な記述の中で開示されるカバーを有する分配装置である。
【００３１】
別の態様は、基部の底壁、側壁、前壁、または後壁が曲線形状をしている分配装置である。
【００３２】
別の態様は、カバーの上壁、側壁、前壁、または後壁が曲線形状をしている分配装置である。
【００３３】
前記態様のそれぞれで、カバーおよび基部の壁の縁部は丸められ、該縁部の前外周を囲む滑らかに丸められた唇部を形作る。この丸められた唇部は鋭利な金属縁部が露出するのを防ぐが、さもなければ露出した金属縁部がユーザーを傷つける可能性がある。
【００３４】
本発明はまた、分配装置を組み立てる方法も包含する。この方法では、分配装置は、第一に上記任意の態様の基部、カバー、およびインサート（必要な場合）を獲得すること；第二に分配を所望するアイテムを基部内に充填すること；第三に（インサートの使用を所望する場合）基部内にインサートを入れ、分配するアイテムに被せること；ならびに第４に、カバーと基部が組み合うように移動止めを嵌合することによって組み立てられる。この組立ては、分配装置が充填済みでも、または空でも行うことができる。あるいは、分配対象となるアイテムは、組立て後に、分配装置を開放状態にして、その開口部を通して充填することもできる。
【００３５】
全ての係合移動止めが着脱可能に互いに嵌合し、且つインサートが基部内に着脱可能に挿入されている態様では、分配装置は、基部とカバーを外し、基部からインサートを取り出すことによって簡単に分解できる。これにより分配装置は再使用可能となり、分配を希望するアイテムを再充填することも可能となる。
【００３６】
最後に分配器を構成している要素の組成に関しては、基部、カバー、またはインサートは、例を挙げると金属、合金、プラスチック、樹脂、または分配器がその目的通りに機能できる他の好適材料から作ることができるが、これらに限定されない。基部、カバー、またはインサートは、挙げれば、これに限定されないが、金属型押しとして、熱可塑性ポリウレタン（ＴＰＵ）のような合成樹脂材料例を射出成形することによって熱成形プラスチックとして、または当技術分野で公知な他の任意な好適材料および成形方法によって形作ることができる。カバーおよび基部は、装飾目的から、または装置を開ける、または閉じる時に押す場所を示すといった機能的な目的から、エンボス加工、型押し、または印刷することもできる。
【００３７】
本発明の特定の態様を記載してきたが、様々な修正、変更、代替構造、および均等物も本発明の範囲内に包含される。従って明細書および図面は、制限的な意味ではなく、例示的なものと見なさなければならない。
【図面の簡単な説明】
【００３８】
【図１】分配器の一つの態様の展開斜視図であり、カバー、インサート、および基部。
【図２】閉じた状態の、図１の分配器の斜視図。
【図３】開いた状態の、図２の分配器の斜視図であり、指がカバーの後部を押して、基部の開口部を露出させているところ。
【図４】図１のインサートの側面図であり、インサートの後壁、および基部端壁に向かって下向きの角度が付けられた部分のインサート上壁。
【図５】図１の分配器のカバーの上面図。
【図６】図１の分配器のカバーの側面図。
【図７】閉じた状態の図１の分配器の側面図であり、係合しあう移動止め。
【図８】図１の分配器の分解後面斜視図。
【図９】図１の分配器のカバーの側面図であり、特にカバー側壁の斜めの部分。
【図１０】図１の分配器基部の側面図であり、特に基部側壁上縁部、斜めの部分。
【図１１】曲線形をした分配器の態様の分解斜視図であり、カバー、インサート、および基部。
【図１２】三角形をした分配器の態様の分解斜視図であり、カバー、インサート、および基部。
【図１】
0005270273.tif 000002
【図２】
0005270273.tif 000003
【図３】
0005270273.tif 000004
【図４】
0005270273.tif 000005
【図５】
0005270273.tif 000006
【図６】
0005270273.tif 000007
【図７】
0005270273.tif 000008
【図８】
0005270273.tif 000009
【図９】
0005270273.tif 000010
【図１０】
0005270273.tif 000011
【図１１】
0005270273.tif 000012
【図１２】
0005270273.tif 000013